(57)【要約】【課題】安全性が高く、使用が容易であり、廃水処理の問題や環境への悪影響を生じず、被洗浄物の表面に影響を与えることがない洗浄剤組成物、その容器、及び洗浄用品を提供すること。【解決手段】Ｄ−リモネン３０重量部、γ−ブチロラクトン３０重量部、チオグリコール酸アンモニウム１５重量部、蒸留水またはイオン交換水２５重量部、ポリエチレンデシルエーテル１０重量部、及びジエチレングリコールモノブチルエーテル１００重量部を混合して洗浄剤組成物を調製した。この洗浄剤組成物を、容器本体３と、その容器本体３の内側に内挿された、ポリエチレン樹脂から成る保護ボトル５とから構成される容器１に収容し、洗浄用品を完成した。【選択図】  図１
2004250552.tif 000002
【特許請求の範囲】
【請求項１】
（ａ）テルペン誘導体と、
（ｂ）脂環式エステル類と、
（ｃ）チオグリコール酸及び／又はその誘導体と、
（ｄ）水と、
（ｅ）炭素数８〜１５の脂肪族アルコールのエトキシレートと、
（ｆ）水と自由に混合し得る多官能器溶剤と、を含むとともに、
前記（ａ）〜（ｄ）成分の合計重量と前記（ｅ）成分の重量との比率が、１：０．０３〜０．１５の範囲にあることを特徴とする洗浄剤組成物。
【請求項２】
前記（ａ）成分がＤ−リモネンであることを特徴とする前記請求項１に記載の洗浄剤組成物。
【請求項３】
前記（ｂ）成分がγ−ブチルラクトンであることを特徴とする前記請求項１又は２に記載の洗浄剤組成物。
【請求項４】
前記（ｄ）成分の水は、塩素濃度が５ｐｐｍ以下であることを特徴とする前記請求項１〜３のいずれかに記載の洗浄剤組成物。
【請求項５】
剤型がスラリー状またはパテ状であることを特徴とする前記請求項１〜４のいずれかに記載の洗浄剤組成物。
【請求項６】
有機高分子系物及び／又は無機系微粉末を含有することを特徴とする前記請求項１〜５のいずれかに記載の洗浄剤組成物。
【請求項７】
前記請求項１〜６のいずれかに記載の洗浄剤組成物を収容する容器であって、
金属から成る容器本体と、
ポリオレフェン系高分子樹脂から成り、前記容器本体の内面に形成された保護層とを有することを特徴とする容器。
【請求項８】
前記請求項１〜６のいずれかに記載の洗浄剤組成物と、前記請求項７に記載の容器と、を含むことを特徴とする洗浄用品。
【発明の詳細な説明】
【０００１】
【発明の属する技術分野】
本発明は、洗浄剤組成物、容器、及び洗浄用品に関し、詳しくは、金属面、塗装面、ビニールテープ等のフィルム面に付着した、鉄錆等を含む汚れを除去するための洗浄剤組成物、その洗浄剤組成物を収容する容器、及び洗浄用品に関する。
【０００２】
【従来の技術】
鉄道車両や車の外板、アルミホイール等の表面には、ステンレスや鋼板等の金属素地の部分、アクリル塗料、ウレタン塗料、あるいは焼き付け塗料等で塗装された部分、社名ロゴマークや装飾の目的でビニルテープ等の樹脂フィルムが貼られた部分がある。
【０００３】
これら各種の表面には、鉄錆粉がこびり付いたり、あるいは、鉄錆粉が塗装や樹脂フィルムの中に入り込んだりすることがあった。
また、これらの表面には、油性マジック等で落書きがされたり、油汚れ、大気中の塵埃、土、微細砂、車の排気ガス等の汚れが付着することがあった。
【０００４】
鉄錆粉と、上記各種の汚れとを除去しようとする場合には、両者を同時に除去できる洗浄剤がなかったために、従来より、以下の洗浄方法を実施していた。
即ち、まず、鉄錆粉を除去するために、シュウ酸を主成分とし、界面活性剤を添加した洗浄剤で洗浄する。次に、他の汚れを除去し、また、酸を中和するために、アルカリ性の洗浄剤で洗浄し、最後に大量の水で水洗して仕上げる。
【０００５】
【発明が解決しようとする課題】
しかし、上記の洗浄方法では、酸性の洗剤及びアルカリ性の洗剤を使用するため、作業者の安全性の問題あった。
また、錆落としのための酸性洗剤と、汚れの除去のためのアルカリ性洗剤とを使い分ける必要があるため、洗浄作業が複雑となってしまい、洗浄プロセスの管理が煩雑になってしまうという問題があった。
【０００６】
更に、大量の水を使用する必要があるため、廃水処理が困難となり、環境に悪影響を及ぼす恐れがあるという問題があった。
また、従来の洗浄剤組成物を、塗装面や樹脂フィルムにより被覆された面に使用すると、それらの面に膨れや膨潤が生じてしまうことがあった。
【０００７】
本発明は以上の点に鑑みなされたものであり、安全性が高く、使用が容易であり、廃水処理の問題や環境への悪影響を生じず、被洗浄物の表面に影響を与えることがない洗浄剤組成物、その容器、及び洗浄用品を提供することを目的とする。
【０００８】
【課題を解決するための手段及び発明の効果】
（１）請求項１の発明は、
（ａ）テルペン誘導体と、（ｂ）脂環式エステル類と、（ｃ）チオグリコール酸及び／又はその誘導体と、（ｄ）水と、（ｅ）炭素数８〜１５の脂肪族アルコールのエトキシレートと、（ｆ）水と自由に混合し得る多官能器溶剤と、を含むとともに、前記（ａ）〜（ｄ）成分の合計重量と前記（ｅ）成分の重量との比率が、１：０．０３〜０．１５の範囲にあることを特徴とする洗浄剤組成物を要旨とする。
【０００９】
本発明の洗浄剤組成物は、上記組成を有することにより、以下の▲１▼〜▲５▼の効果を奏する。
▲１▼本発明の洗浄剤組成物は、液性を酸性やアルカリ性にしなくてもよいので、作業者の安全性の点で優れている。
【００１０】
▲２▼本発明の洗浄剤組成物は、従来のように、酸性洗浄剤とアルカリ性洗浄剤とを順番に使い分ける必要が無い。つまり、本発明の洗浄剤組成物は、１つの洗浄剤組成物のみを使用すればよいので、使用が容易である。
▲３▼本発明の洗浄剤組成物は、従来の洗浄剤のように、大量の水で洗い流す必要がないので、廃水処理が容易であり、環境への悪影響を生じることがないという特長を有する。
【００１１】
▲４▼本発明の洗浄剤組成物は、被洗浄物の表面に付着した汚れ（例えば、油性マジック等での落書き、油汚れ、大気中の塵埃、土、微細砂、車の排気ガス等）と、被洗浄物の表面にこびりついたり、塗装や樹脂フィルムの中に入り込んだ鉄錆粉とを、同時に除去することができる。
【００１２】
▲５▼本発明の洗浄剤組成物は、被洗浄物の表面が、アクリル塗料、ウレタン塗料、あるいは焼き付け塗料等で塗装された面であったり、ビニルテープ等の樹脂フィルムが貼られた面であった場合でも、それらの面に、影響（例えば、膨れ、膨潤の発生）を与えることがない。
【００１３】
▲６▼本発明の洗浄剤組成物は、多官能器溶剤を含むことにより、被洗浄物の表面（例えば、アクリル塗料、ウレタン塗料、あるいは焼き付け塗料等で塗装された面、ビニルテープ等の樹脂フィルムが貼られた面）に、膨れや膨潤等を発生させることが一層起こりにくい。
【００１４】
・前記ａ成分としては、例えば、Ｄ−リモネン、α−ピネン、ジペンテン、β−ピネン等が挙げられる。
・前記ｂ成分としては、例えば、γ−ブチルラクトン、δ−バレロラクトン等が挙げられる。
【００１５】
・前記ｃ成分としては、例えば、チオグリコール酸、チオグリコール酸金属塩（例えばナトリウム塩、カルシウム塩）、チオグリコール酸アミン塩、チオグリコール酸アンモニウム塩等が挙げられる。
前記ｃ成分における誘導体としては、例えば、チオグリコール酸アンモニウム、チオグリコール酸モノエタノールアミンの中の一種以上が挙げられる。
【００１６】
・前記ｆ成分としては、例えば、２−メトキシエタノール、２−エトキシエタノール、２−ブトキシエタノール、２−（メトキシ、エトキシ）エタノール等のセロソルブ類、ジエチレングリコール、ジエチレングリコールモノエチルエーテル、ジエチレングリコールモノメチルエーテル、ジエチレングリコールモノブチルエーテル等のカルビトール類、１−メトキシ−２−プロパノール、１−エトキシ−２−プロパノール、ジプロピレングリコール、ジプロピレングリコールモノメチルエーテル、ジプロピレングリコールモノエチルエーテル等が挙げられる。
（２）請求項２の発明は、
前記（ａ）成分がＤ−リモネンであることを特徴とする前記請求項１に記載の洗浄剤組成物を要旨とする。
【００１７】
本発明の洗浄剤組成物は、（ａ）成分がＤ−リモネンであることにより、一層優れた洗浄力を有する。
（３）請求項３の発明は、
前記（ｂ）成分がγ−ブチルラクトンであることを特徴とする前記請求項１又は２に記載の洗浄剤組成物を要旨とする。
【００１８】
本発明の洗浄剤組成物は、（ｂ）成分がγ−ブチルラクトンであることにより、一層優れた洗浄力を有する。
（４）請求項４の発明は、
前記（ｄ）成分の水は、塩素濃度が５ｐｐｍ以下であることを特徴とする前記請求項１〜３のいずれかに記載の洗浄剤組成物を要旨とする。
【００１９】
本発明の洗浄剤組成物は、水の塩素濃度が５ｐｐｍ以下であることにより、塩素と鉄イオン成分との反応が抑えられ、洗浄時に、チオグリコール酸及びその誘導体との反応・除去効果を妨げることがないので優れている。
・塩素濃度が５ｐｐｍ以下の水としては、例えば、蒸留水、イオン交換水等が挙げられる。
（５）請求項５の発明は、
剤型がスラリー状またはパテ状であることを特徴とする前記請求項１〜４のいずれかに記載の洗浄剤組成物を要旨とする。
【００２０】
本発明の洗浄剤組成物は、剤型がスラリー状又はパテ状であることにより、例えば、被洗浄物の表面が、洗浄剤組成物が垂れ落ちやすい状態（例えば、被洗浄物の表面が鉛直又はそれに近い傾きを有していたり、被洗浄物の表面が平滑である場合）であっても、被洗浄物上に塗布した洗浄剤組成物が短時間で流れ落ちてしまうことがなく、その表面に長時間にわたり存在することができる。
【００２１】
そのことにより、本発明の洗浄剤組成物は、被洗浄物の鉛直面に強固に付着した汚れや鉄錆粉を浮き上がらせ、分離し、除去することができる。
・前記スラリー状とは、例えば、粘度が１００〜１００００Ｐａ・ｓであることをいう。また、前記パテ状とは、例えば、粘度が１００００Ｐａ・ｓ以上である状態をいう。
（６）請求項６の発明は、
有機高分子系物及び／又は無機系微粉末を含有することを特徴とする前記請求項１〜５のいずれかに記載の洗浄剤組成物を要旨とする。
【００２２】
本発明の洗浄剤組成物は、有機高分子系物及び／又は無機系微粉末を含有することにより、その粘度が高い。そのため、例えば、被洗浄物の表面が、洗浄剤組成物が垂れ落ちやすい状態（例えば、被洗浄物の表面が鉛直又はそれに近い傾きを有していたり、被洗浄物の表面が平滑である場合）であっても、被洗浄物上に塗布した洗浄剤組成物が短時間で流れ落ちてしまうことがなく、その表面に長時間にわたり存在することができる。
【００２３】
そのことにより、本発明の洗浄剤組成物は、被洗浄物の鉛直面に強固に付着した汚れや鉄錆粉を浮き上がらせ、分離し、除去することができる。
・前記有機高分子系物としては、例えば、セルロース誘導体が挙げられる。
・前記無機系微粉末としては、例えば、シリカ粉、炭酸カルシウム粉、タルクが挙げられる。
（７）請求項７の発明は、
前記請求項１〜６のいずれかに記載の洗浄剤組成物を収容する容器であって、
金属から成る容器本体と、ポリオレフェン系高分子樹脂から成り、前記容器本体の内面に形成された保護層とを有することを特徴とする容器を要旨とする。
【００２４】
本発明の容器は、容器本体の内側に、ポリオレフェン系高分子樹脂から成る保護層を有しており、洗浄剤組成物は、例えば、その保護層により囲まれた部分に収容される。従って、本発明の容器では、保護層により、収容された洗浄剤組成物と容器本体の接触が遮断される。
【００２５】
その結果として、本発明の容器は、金属イオン（特に鉄イオン）との反応性が高いチオグリコール酸又はその誘導体を含む洗浄剤組成物を収容しても、容器本体がさびてしまうことがない。
・前記ポリオレフィン系高分子樹脂としては、例えば、ポリエチレンが挙げられ、その分子量は、例えば、５万〜２５万である。
【００２６】
・本発明の容器は、例えば、洗浄剤組成物と噴射剤とを充填し、エアゾール容器とすることができる。
（８）請求項８の発明は、
前記請求項１〜６のいずれかに記載の洗浄剤組成物と、前記請求項７に記載の容器と、を含むことを特徴とする洗浄用品を要旨とする。
【００２７】
本発明の洗浄用品は、前記請求項１〜７の発明と同様の効果を奏する。
【００２８】
【発明の実施の形態】
以下に本発明の洗浄剤組成物、容器、及び洗浄用品の実施の形態の例（実施例）を説明する。
（実施例１）
ａ）まず、本実施例１の洗浄剤組成物について説明する。
【００２９】
下記の成分を混合することにより洗浄剤組成物を製造した。
Ｄ−リモネン（（ａ）成分）：３０重量部
γ−ブチロラクトン（（ｂ）成分）：３０重量部
チオグリコール酸アンモニウム（（ｃ）成分）：１５重量部
蒸留水またはイオン交換水（（ｄ）成分）：２５重量部
ポリエチレンデシルエーテル（脂肪族アルコールのエトキシレート、（ｅ）成分）：１０重量部
ジエチレングリコールモノブチルエーテル（（ｆ）成分）：１００重量部
尚、本実施例１では、（ａ）〜（ｄ）成分の合計重量に対する（ｅ）成分の重量の比率は０．１である。
【００３０】
ｂ）次に、本実施例１の洗浄剤組成物を収容するための容器について図１を用いて説明する。
本実施例１の容器１は、アルミから成り、上方が開口した略円筒形状を有する容器本体３と、その容器本体３の内側に内挿された、ポリエチレン樹脂（ポリオレフィン系高分子樹脂）から成る略円筒形状の保護ボトル５（保護層）とから構成される。この保護ボトル５は、厚みが２００〜５００μｍであり、容器本体３の内側に、隙間無く内挿されている。容器１の高さは１４０ｍｍ、直径４０ｍｍ、容量は１４０ｍｌである。
【００３１】
この容器１に、前記ａ）で調製した洗浄剤組成物を充填し、洗浄用品とした。
ｃ）次に、本実施例１の洗浄剤組成物、容器、及び洗浄用品の奏する効果を説明する。
▲１▼本実施例１の洗浄剤組成物は、液性を酸性やアルカリ性にしなくてもよいので、作業者の安全性の点で優れている。
【００３２】
▲２▼本実施例１の洗浄剤組成物は、従来のように、酸性洗浄剤とアルカリ性洗浄剤とを順番に使い分ける必要が無く、１つの洗浄剤組成物のみを使用すればよいので、使用が容易である。
▲３▼本実施例１の洗浄剤組成物は、従来の洗浄剤のように、大量の水で洗い流す必要がないので、廃水処理が容易であり、環境への悪影響を生じることがないという特長を有する。
【００３３】
▲４▼本実施例１の洗浄剤組成物は、被洗浄物の表面に付着した汚れ（例えば、油性マジック等での落書き、油汚れ、大気中の塵埃、土、微細砂、車の排気ガス等）と、被洗浄物の表面にこびりついたり、塗装や樹脂フィルムの中に入り込んだ鉄錆粉とを、同時に除去することができる。
【００３４】
▲５▼本実施例１の洗浄剤組成物は、被洗浄物の表面が、アクリル塗料、ウレタン塗料、あるいは焼き付け塗料等で塗装された面であったり、ビニルテープ等の樹脂フィルムが貼られた面であった場合でも、それらの面に、影響（例えば、膨れ、膨潤の発生）を与えることがない。
【００３５】
▲６▼本実施例１の容器は、ポリエチレンから成る保護ボトル５を有しており、洗浄剤組成物は、その保護ボトル５により囲まれた部分に収容される。従って、本実施例１の容器１では、保護ボトル５により、収容された洗浄剤組成物と容器本体３の接触が遮断される。
【００３６】
その結果として、本実施例１の容器１は、金属イオンとの反応性が高いチオグリコール酸又はその誘導体を含む洗浄剤組成物を収容していても、容器本体３がさびてしまうことがない。
ｄ）次に、本実施例１の洗浄剤組成物、容器、及び洗浄用品の奏する効果を確かめるために行った実験について説明する。
【００３７】
ｉ）試験板の作成
表面にアクリル系焼き付け塗装を施した鋼板の上に、油性マジックで印をつけた。次に、鉱油１０重量部と鉄錆粉２重量部とを混合したものを、上記マジック印の上に塗りつけ、屋外に３０日間放置して試験板とした。
【００３８】
ｉｉ）洗浄組成物への浸漬
前記ｉ）で作成した試験板を、前記ａ）で調製した洗浄剤組成物に１５分間浸漬した。その後、試験板を取りだし、水道水で水洗してから、ウエスで軽く拭き取った。
【００３９】
ｉｉｉ）洗浄後における試験板の観察
試験板を観察し、鉄錆粉の除去、油性マジック跡の除去、鉱油の除去の各項目について評価した。また、回転粘度型粘度計（ＢＭ型粘度計）を用いて、洗浄剤組成物の粘度を測定した。その結果を表１に示す。
【００４０】
【表１】
2004250552.tif 000003
【００４１】
この表１において、◎は完全に除去されていることを表し、○は殆ど除去されていることを表し、△は一部残存していることを表し、×は殆ど残存していることを表している。また、○〜△は、○と△との間の状態であり、△〜×は、△と×との間の状態である。
【００４２】
この表１に示す様に、本実施例１の洗浄剤組成物を使用すると、鉄錆粉、油性マジック、鉱油のいずれをも、ほぼ完全に除去することができた。
（実施例２）
本実施例２では、下記の成分を混合することにより洗浄剤組成物を製造した。
【００４３】
Ｄ−リモネン（（ａ）成分）：４０重量部
γ−ブチロラクトン（（ｂ）成分）：４０重量部
チオグリコール酸アンモニウム（（ｃ）成分）：１５重量部
蒸留水またはイオン交換水（（ｄ）成分）：５重量部
ポリエチレンデシルエーテル（脂肪族アルコールのエトキシレート、（ｅ）成分）：１０重量部
ジエチレングリコールモノブチルエーテル（（ｆ）成分）：１００重量部
尚、本実施例２では、（ａ）〜（ｄ）成分の合計重量に対する（ｅ）成分の重量の比率は０．１である。
【００４４】
本実施例２では、上記の洗浄剤組成物を、前記実施例１と同様の容器に収容し、洗浄用品とした。
本実施例２の洗浄剤組成物、容器、及び洗浄用品は、前記実施例１と同様の効果を奏する。
【００４５】
また、本実施例２の洗浄剤組成物は、前記実施例１の洗浄剤組成物と比べて、Ｄ−リモネン（（ａ）成分）とγ−ブチロラクトン（（ｂ）成分）との配合量が多いため、油性系のマジック等で厚く塗られたものや、塗布後時間が経過して下地に完全に吸い込まれたものを、一層効果的に除去することができる。
【００４６】
本実施例２の洗浄剤組成物の奏する効果を、前記実施例１のｄ）と同様に試験した。その結果を上記表１に示す。
この表１に示す様に、本実施例２の洗浄剤組成物は、鉄錆粉、油性マジック、鉱油のいずれに対しても、△以上の洗浄効果を奏し、特に、油性マジックに対しては、ほぼ完全に除去することができた。
（実施例３）
ａ）本実施例３では、下記の成分を混合することにより洗浄剤組成物を製造した。
【００４７】
Ｄ−リモネン（（ａ）成分）：２５重量部
γ−ブチロラクトン（（ｂ）成分）：２５重量部
チオグリコール酸アンモニウム（（ｃ）成分）：２０重量部
蒸留水またはイオン交換水（（ｄ）成分）：３０重量部
ポリエチレンデシルエーテル（脂肪族アルコールのエトキシレート、（ｅ）成分）：１５重量部
ジエチレングリコールモノブチルエーテル（（ｆ）成分）：１００重量部
また、本実施例３では、上記の洗浄剤組成物を、前記実施例１と同様の容器に収容し、洗浄用品とした。
【００４８】
尚、本実施例３では、（ａ）〜（ｄ）成分の合計重量に対する（ｅ）成分の重量の比率は０．１５である。
本実施例３の洗浄剤組成物、容器、及び洗浄用品は、前記実施例１と同様の効果を奏する。
【００４９】
また、本実施例３の洗浄剤組成物は、前記実施例１の洗浄剤組成物と比べて、ポリエチレンデシルエーテルの配合量が多いため、油汚れ及びそれに含まれる鉄錆の汚れの除去の点で一層優れている。
ｂ）本実施例３の洗浄剤組成物の奏する効果を、以下のようにして評価した。
【００５０】
ｉ）試験片の作成
市販のマーキングフィルム（素材はポリエステル、塩化ビニル等）上に、油性マジックで印をつけた。次に、鉱油１０重量部と鉄錆粉２重量部とを混合したものを、上記マジック印の上に塗りつけ、屋外に３０日間放置して試験板とした。
【００５１】
ｉｉ）洗浄組成物の塗布
前記ｉ）で作成した試験片の上に、前記ａ）で調製した洗浄剤組成物を刷毛を用いて０．１５Ｋｇ／ｍ２の割合で塗布し、１５分間放置した。その後、試験片を水道水で水洗してから、ウエスで軽く拭き取った。
【００５２】
ｉｉｉ）洗浄後における試験片の観察
試験片を観察し、鉄錆粉の除去、油性マジック跡の除去、鉱油の除去、フィルムの状態の各項目について評価した。その結果を表２に示す。
【００５３】
【表２】
2004250552.tif 000004
【００５４】
この表２において、鉄錆粉の除去、油性マジック跡の除去、及び鉱油の除去の項目においては、◎は完全に除去されていることを表し、○は殆ど除去されていることを表し、△は一部残存していることを表し、×は殆ど残存していることを表している。また、○〜△は、○と△との間の状態であり、△〜×は、△と×との間の状態である。
【００５５】
また、フィルムの状態の項目においては、○はフィルムの膨れや膨潤がないことを表し、△は膨れや膨潤がやや生じていることを表し、×は膨れや膨潤が多数生じていることを表している。
この表２に示す様に、本実施例３の洗浄剤組成物は、鉄錆粉、油性マジック、鉱油のいずれをも、ほぼ完全に除去することができた。また、フィルムの膨れや膨潤は生じなかった。
（実施例４）
ａ）本実施例４では、下記の成分を混合することにより洗浄剤組成物を製造した。
【００５６】
Ｄ−リモネン（（ａ）成分）：２５重量部
γ−ブチロラクトン（（ｂ）成分）：２５重量部
チオグリコール酸アンモニウム（（ｃ）成分）：２０重量部
蒸留水またはイオン交換水（（ｄ）成分）：３０重量部
ポリエチレンデシルエーテル（脂肪族アルコール）のエトキシレート（（ｅ）成分）：１５重量部
ジエチレングリコールモノブチルエーテル（（ｆ）成分）：５０重量部
また、本実施例４では、上記の洗浄剤組成物を、前記実施例１と同様の容器に収容し、洗浄用品とした。
【００５７】
尚、本実施例４では、（ａ）〜（ｄ）成分の合計重量に対する（ｅ）成分の重量の比率は０．１５である。
本実施例４の洗浄剤組成物、容器、及び洗浄用品は、前記実施例３と同様の効果を奏する。
【００５８】
また、本実施例４の洗浄剤組成物は、前記実施例３の洗浄剤組成物と比べて、多官能器溶剤の配合量が少ないため、油性系のマジック等で厚く塗られたものや、塗布後時間が経過して下地に完全に吸い込まれたものを、一層効果的に除去することができる。
【００５９】
本実施例４の洗浄剤組成物の奏する効果を、前記実施例３のｂ）と同様に試験した。その結果を上記表２に示す。
この表２に示す様に、本実施例４の洗浄剤組成物は、鉄錆粉、油性マジック、鉱油のいずれに対しても、△以上の洗浄効果を奏し、特に、鉄錆粉に対しては、ほぼ完全に除去することができた。また、フィルムの状態は△であった。
（実施例５）
本実施例５では、下記を混合することにより洗浄剤組成物を製造した。
【００６０】
前記実施例１の洗浄剤組成物：１００重量部
メトローズ６５ＳＨ４０００（商品名：信越化学製、有機高分子系物（メチルセルロース））：０．６重量部
本実施例５では、上記の洗浄剤組成物を、前記実施例１と同様の容器に収容し、洗浄用品とした。
【００６１】
尚、本実施例５では、（ａ）〜（ｄ）成分の合計重量に対する（ｅ）成分の重量の比率は０．１である。
本実施例５の洗浄剤組成物、容器、及び洗浄用品は、前記実施例１と同様の効果を奏する。
【００６２】
また、本実施例５の洗浄剤組成物は、メトローズ４０００を含むことにより、粘度が０．１〜０．２Ｐａ・ｓである。そのことにより、被洗浄物の表面が、洗浄剤組成物が垂れ落ちやすい状態（例えば、被洗浄物の表面が鉛直又はそれに近い傾きを有していたり、被洗浄物の表面が平滑である場合）であっても、被洗浄物上に塗布した洗浄剤組成物が短時間で流れ落ちてしまうことがなく、その表面に長時間にわたり存在することができる。
【００６３】
そのことにより、本実施例５の洗浄剤組成物は、被洗浄物の鉛直面に強固に付着した汚れや鉄錆粉を浮き上がらせ、分離し、除去することができる。
本実施例５の洗浄剤組成物の奏する効果を、前記実施例１のｄ）と同様に試験した。その結果を表１に示す。
【００６４】
この表１に示す様に、本実施例５の洗浄剤組成物は、鉄錆粉を完全に除去することができ、油性マジックをほぼ完全に除去することができた。鉄錆粉の除去効果が特に高いのは、洗浄剤組成物が垂れ落ちにくく、被洗浄物の表面に長時間留まるためであると推測される。
（実施例６）
本実施例６では、下記を混合することにより洗浄剤組成物を製造した。
【００６５】
前記実施例１の洗浄剤組成物：１００重量部
ゲルオールＴ（商品名：新日本理化製、有機高分子系物）：０．６重量部
本実施例６では、上記の洗浄剤組成物を、前記実施例１と同様の容器に収容し、洗浄用品とした。
【００６６】
尚、本実施例６では、（ａ）〜（ｄ）成分の合計重量に対する（ｅ）成分の重量の比率は０．１である。
本実施例６の洗浄剤組成物、容器、及び洗浄用品は、前記実施例１と同様の効果を奏する。
【００６７】
また、本実施例６の洗浄剤組成物は、ゲルオールＴを含むことにより、粘度が０．１５〜０．５Ｐａ・ｓである。そのことにより、被洗浄物の表面が、洗浄剤組成物が垂れ落ちやすい状態（例えば、被洗浄物の表面が鉛直又はそれに近い傾きを有していたり、被洗浄物の表面が平滑である場合）であっても、被洗浄物上に塗布した洗浄剤組成物が短時間で流れ落ちてしまうことがなく、その表面に長時間にわたり存在することができる。
【００６８】
そのことにより、本実施例６の洗浄剤組成物は、被洗浄物の鉛直面に強固に付着した汚れや鉄錆粉を浮き上がらせ、分離し、除去することができる。
本実施例６の洗浄剤組成物の奏する効果を、前記実施例１のｄ）と同様に試験した。その結果を上記表１に示す。
【００６９】
この表１に示す様に、本実施例６の洗浄剤組成物は、鉄錆粉を完全に除去することができ、油性マジックも、ほぼ完全に除去することができた。鉄錆粉の除去効果が特に高いのは、洗浄剤組成物が垂れ落ちにくく、被洗浄物の表面に長時間留まるためであると推測される。
（実施例７）
本実施例７では、下記を混合することにより洗浄剤組成物を製造した。
【００７０】
前記実施例１の洗浄剤組成物：１００重量部
タルクＴＴ（商品名：日本タルク製、無機系微粉末（タルク））：２５重量部
本実施例７では、上記の洗浄剤組成物を、前記実施例１と同様の容器に収容し、洗浄用品とした。
【００７１】
尚、本実施例７では、（ａ）〜（ｄ）成分の合計重量に対する（ｅ）成分の重量の比率は０．１である。
本実施例７の洗浄剤組成物、容器、及び洗浄用品は、前記実施例１と同様の効果を奏する。
【００７２】
また、本実施例７の洗浄剤組成物は、タルクＴＴを含むことにより、粘度が高く、パテ状である。そのことにより、被洗浄物の表面が、洗浄剤組成物が垂れ落ちやすい状態（例えば、被洗浄物の表面が鉛直又はそれに近い傾きを有していたり、被洗浄物の表面が平滑である場合）であっても、被洗浄物上に塗布した洗浄剤組成物が短時間で流れ落ちてしまうことがなく、その表面に長時間にわたり存在することができる。
【００７３】
そのことにより、本実施例７の洗浄剤組成物は、被洗浄物の鉛直面に強固に付着した汚れや鉄錆粉を浮き上がらせ、分離し、除去することができる。
本実施例７の洗浄剤組成物の奏する効果を、前記実施例１のｄ）と同様に試験した。その結果を上記表１に示す。
【００７４】
この表１に示す様に、本実施例７の洗浄剤組成物は、鉄錆粉をほぼ除去することができ、油性マジックは、一部を残して除去することができた。
（実施例８）
本実施例８では、下記を混合することにより洗浄剤組成物を製造した。
【００７５】
前記実施例１の洗浄剤組成物：１００重量部
アエロジル♯２００（商品名：日本アエロジル製、無機系微粉末（超微粒子状無水シリカ））：５重量部
本実施例８では、上記の洗浄剤組成物を、前記実施例１と同様の容器に収容し、洗浄用品とした。
【００７６】
尚、本実施例８では、（ａ）〜（ｄ）成分の合計重量に対する（ｅ）成分の重量の比率は０．１である。
本実施例８の洗浄剤組成物、容器、及び洗浄用品は、前記実施例１と同様の効果を奏する。
【００７７】
また、本実施例８の洗浄剤組成物は、アエロジル♯２００を含むことにより、粘度が高く、パテ状である。そのことにより、被洗浄物の表面が、洗浄剤組成物が垂れ落ちやすい状態（例えば、被洗浄物の表面が鉛直又はそれに近い傾きを有していたり、被洗浄物の表面が平滑である場合）であっても、被洗浄物上に塗布した洗浄剤組成物が短時間で流れ落ちてしまうことがなく、その表面に長時間にわたり存在することができる。
【００７８】
そのことにより、本実施例８の洗浄剤組成物は、被洗浄物の鉛直面に強固に付着した汚れや鉄錆粉を浮き上がらせ、分離し、除去することができる。
本実施例８の洗浄剤組成物の奏する効果を、前記実施例１のｄ）と同様に試験した。その結果を上記表１に示す。
【００７９】
この表１に示す様に、本実施例８の洗浄剤組成物は、鉄錆粉を完全に除去することができ、油性マジックをほぼ完全に除去することができた。鉄錆粉の除去効果が特に高いのは、洗浄剤組成物が垂れ落ちにくく、被洗浄物の表面に長時間留まるためであると推測される。
【００８０】
（比較例１）
本比較例１では、下記の成分を混合することにより洗浄剤組成物を製造した。
γ−ブチロラクトン（（ｂ）成分）：５０重量部
チオグリコール酸アンモニウム（（ｃ）成分）：１５重量部
蒸留水またはイオン交換水（（ｄ）成分）：３５重量部
ポリエチレンデシルエーテル（脂肪族アルコールのエトキシレート、（ｅ）成分）：１０重量部
ジエチレングリコールモノブチルエーテル（（ｆ）成分）：１００重量部
本比較例１では、上記の洗浄剤組成物を、前記実施例１と同様の容器に収容し、洗浄用品とした。
【００８１】
本比較例１の洗浄剤組成物、及び洗浄用品は、Ｄ−リモネン（（ａ）成分）を含まず、本発明の範囲外の例である。
本比較例１の洗浄剤組成物の奏する効果を、前記実施例１のｄ）と同様に試験した。その結果を表３に示す。
【００８２】
【表３】
2004250552.tif 000005
【００８３】
この表３に示す様に、本比較例１の洗浄剤組成物は、油性マジックに対する除去効果が低かった。
（比較例２）
本比較例２では、下記の成分を混合することにより洗浄剤組成物を製造した。
【００８４】
Ｄ−リモネン（（ａ）成分）：５０重量部
チオグリコール酸アンモニウム（（ｃ）成分）：１５重量部
蒸留水またはイオン交換水（（ｄ）成分）：３５重量部
ポリエチレンデシルエーテル（脂肪族アルコールのエトキシレート、（ｅ）成分）：１０重量部
ジエチレングリコールモノブチルエーテル（（ｆ）成分）：１００重量部
本比較例２では、上記の洗浄剤組成物を、前記実施例１と同様の容器に収容し、洗浄用品とした。
【００８５】
本比較例２の洗浄剤組成物、及び洗浄用品は、（ｂ）成分を含まないので、本発明の範囲外の例である。
本比較例２の洗浄剤組成物の奏する効果を、前記実施例１のｄ）と同様に試験した。その結果を上記表３に示す。
【００８６】
この表３に示す様に、本比較例２の洗浄剤組成物は、鉱油に対する除去効果が低かった。
（比較例３）
本比較例３では、下記の成分を混合することにより洗浄剤組成物を製造した。
【００８７】
Ｄ−リモネン（（ａ）成分）：３５重量部
γ−ブチルラクトン（（ｂ）成分）：３５重量部
蒸留水またはイオン交換水（（ｄ）成分）：３０重量部
ポリエチレンデシルエーテル（脂肪族アルコールのエトキシレート、（ｅ）成分）：１０重量部
ジエチレングリコールモノブチルエーテル（（ｆ）成分）：１００重量部
本比較例３では、上記の洗浄剤組成物を、前記実施例１と同様の容器に収容し、洗浄用品とした。
【００８８】
本比較例３の洗浄剤組成物、及び洗浄用品は、（ｃ）成分を含まないので、本発明の範囲外の例である。
本比較例３の洗浄剤組成物の奏する効果を、前記実施例１のｄ）と同様に試験した。その結果を上記表３に示す。
【００８９】
この表３に示す様に、本比較例３の洗浄剤組成物は、鉄錆粉に対する除去効果が低かった。
（比較例４）
本比較例３では、下記の成分を混合することにより洗浄剤組成物を製造した。
【００９０】
Ｄ−リモネン（（ａ）成分）：２５重量部
γ−ブチルラクトン（（ｂ）成分）：２５重量部
チオグリコール酸アンモニウム（（ｃ）成分）：２０重量部
蒸留水またはイオン交換水（（ｄ）成分）：３０重量部
ジエチレングリコールモノブチルエーテル（（ｆ）成分）：１５０重量部
本比較例４では、上記の洗浄剤組成物を、前記実施例１と同様の容器に収容し、洗浄用品とした。
【００９１】
本比較例４の洗浄剤組成物、及び洗浄用品は、（ｅ）成分を含まないので、本発明の範囲外の例である。
本比較例４の洗浄剤組成物の奏する効果を、前記実施例３のｂ）と同様に試験した。その結果を表４に示す。
【００９２】
【表４】
2004250552.tif 000006
【００９３】
この表４に示す様に、本比較例４の洗浄剤組成物は、鉄錆粉、油性マジック、鉱油に対する洗浄効果は△以上であり、フィルムに膨れや膨潤は生じなかった。しかし、本比較例４の洗浄剤組成物は、均一で透明な液体にならないため、洗浄後の長期安定性に欠け、時間経過とともに分離を起こす等の点で劣っている。
（比較例５）
本比較例５では、下記の成分を混合することにより洗浄剤組成物を製造した。
【００９４】
Ｄ−リモネン（（ａ）成分）：３５重量部
γ−ブチルラクトン（（ｂ）成分）：３５重量部
チオグリコール酸アンモニウム（（ｃ）成分）：３０重量部
ポリエチレンデシルエーテル（脂肪族アルコールのエトキシレート、（ｅ）成分）：１５重量部
ジエチレングリコールモノブチルエーテル（（ｆ）成分）：１００重量部
本比較例５では、上記の洗浄剤組成物を、前記実施例１と同様の容器に収容し、洗浄用品とした。
【００９５】
本比較例５の洗浄剤組成物、及び洗浄用品は、（ｄ）成分を含まないので、本発明の範囲外の例である。
本比較例５の洗浄剤組成物の奏する効果を、前記実施例３のｂ）と同様に試験した。その結果を上記表４に示す。
【００９６】
この表４に示す様に、本比較例５の洗浄剤組成物では、フィルムに膨れや膨潤が多数生じた。
（比較例６）
本比較例６では、下記の成分を混合することにより洗浄剤組成物を製造した。
【００９７】
Ｄ−リモネン（（ａ）成分）：２５重量部
γ−ブチルラクトン（（ｂ）成分）：２５重量部
チオグリコール酸アンモニウム（（ｃ）成分）：２０重量部
蒸留水またはイオン交換水（（ｄ）成分）：３０重量部
ポリエチレンデシルエーテル（脂肪族アルコールのエトキシレート、（ｅ）成分）：３０重量部
ジエチレングリコールモノブチルエーテル（（ｆ）成分）：１００重量部
本比較例６では、上記の洗浄剤組成物を、前記実施例１と同様の容器に収容し、洗浄用品とした。
【００９８】
本比較例６の洗浄剤組成物、及び洗浄用品は、（ａ）〜（ｄ）成分の合計重量に対し、（ｅ）成分の重量の比率が、０．３であるので、本発明の範囲外の例である。
本比較例６の洗浄剤組成物の奏する効果を、前記実施例３のｂ）と同様に試験した。その結果を上記表４に示す。
【００９９】
この表４に示す様に、本比較例６の洗浄剤組成物では、鉄錆粉、油性マジック、鉱油に対し、元々付着している場所から除去する効果は△以上であり、フィルムに膨れや膨潤は生じなかった。しかし、本比較例６の洗浄剤組成物では、一度除去できた汚れが、別の場所に再度付着する２次汚染が目立った。
（比較例７）
本比較例７では、下記の成分を混合することにより洗浄剤組成物を製造した。
【０１００】
Ｄ−リモネン（（ａ）成分）：２５重量部
γ−ブチルラクトン（（ｂ）成分）：２５重量部
チオグリコール酸アンモニウム（（ｃ）成分）：２０重量部
蒸留水またはイオン交換水（（ｄ）成分）：３０重量部
ポリオキシエチレンデシルエーテル（脂肪族アルコールのエトキシレート、（ｅ）成分）：１重量部
ジエチレングリコールモノブチルエーテル（（ｆ）成分）：１３０重量部
本比較例７では、上記の洗浄剤組成物を、前記実施例１と同様の容器に収容し、洗浄用品とした。
【０１０１】
本比較例７の洗浄剤組成物、及び洗浄用品は、（ａ）〜（ｄ）成分の合計重量に対し、（ｅ）成分の重量の比率が、０．０１であるので、本発明の範囲外の例である。
本比較例７の洗浄剤組成物の奏する効果を、前記実施例３のｂ）と同様に試験した。その結果を上記表４に示す。
【０１０２】
この表４に示す様に、本比較例７の洗浄剤組成物は、鉄錆粉、油性マジック、鉱油に対する洗浄効果は△以上であり、フィルムに膨れや膨潤はほとんど生じなかったが、洗浄剤組成物が均一な透明の液体にならないため、洗浄後の長期安定性に欠け、時間経過とともに分離を起こす等の点で劣っている。
（比較例８）
本比較例８では、下記の成分を混合することにより洗浄剤組成物を製造した。
【０１０３】
Ｄ−リモネン（（ａ）成分）：２５重量部
γ−ブチルラクトン（（ｂ）成分）：２５重量部
チオグリコール酸アンモニウム（（ｃ）成分）：２０重量部
蒸留水またはイオン交換水（（ｄ）成分）：２０重量部
ポリオキシエチレンデシルエーテル（脂肪族アルコールのエトキシレート、（ｅ）成分）：２０重量部
ジエチレングリコールモノブチルエーテル（（ｆ）成分）：１００重量部
本比較例８では、上記の洗浄剤組成物を、前記実施例１と同様の容器に収容し、洗浄用品とした。
【０１０４】
本比較例８の洗浄剤組成物、及び洗浄用品は、（ａ）〜（ｄ）成分の合計重量に対し、（ｅ）成分の重量の比率が、０．２２であるので、本発明の範囲外の例である。
本比較例８の洗浄剤組成物の奏する効果を、前記実施例３のｂ）と同様に試験した。その結果を上記表４に示す。
【０１０５】
この表４に示す様に、本比較例８の洗浄剤組成物は、鉄錆粉、油性マジック、鉱油に対し、元々付着している場所から除去する効果は△以上であり、フィルムに膨れや膨潤はほとんど生じなかったが、しかし、本比較例８の洗浄剤組成物では、一度除去できた汚れが、別の場所に再度付着する２次汚染が目立った。
（比較例９）
本比較例９では、下記の成分を混合することにより洗浄剤組成物を製造した。
【０１０６】
Ｄ−リモネン（（ａ）成分）：３０重量部
γ−ブチロラクトン（（ｂ）成分）：３０重量部
チオグリコール酸アンモニウム（（ｃ）成分）：１５重量部
蒸留水またはイオン交換水（（ｄ）成分）：２５重量部
ポリエチレンデシルエーテル（脂肪族アルコールのエトキシレート、（ｅ）成分）：１０重量部
尚、本比較例９は、（ｆ）成分を含まず、本発明の範囲外の例である。また、本比較例９では、（ａ）〜（ｄ）成分の合計重量に対する（ｅ）成分の重量の比率は０．１である。
【０１０７】
本比較例９では、上記の洗浄剤組成物を、前記実施例１と同様の容器に収容し、洗浄用品とした。
本比較例９の洗浄剤組成物の奏する効果を、前記実施例３のｂ）と同様に試験した。その結果を表４に示す。
【０１０８】
この表４に示す様に、本比較例９の洗浄剤組成物では、（ｆ）成分を含まないことにより、フィルムに、膨れや膨潤が生じた。
尚、本比較例９の洗浄剤組成物は、鉄錆粉、油性マジック、鉱油のいずれに対しても、○又は△の洗浄効果を奏した。
【０１０９】
尚、本発明は前記実施例になんら限定されるものではなく、本発明を逸脱しない範囲において種々の態様で実施しうることはいうまでもない。
【図面の簡単な説明】
【図１】実施例における容器の構成を示す断面図である。
【符号の説明】
１・・・容器
３・・・容器本体
５・・・保護ボトル
【図１】
2004250552.tif 000007